(57)【要約】【課題】  複数の窓を有するものであって、より意匠性を向上させたパネル体を提供する。【解決手段】  板体と、透光性パネルを備え、板体に複数の窓を形成してあり、透光性パネルは、板体の内部に設けてあって、複数の窓に跨っており、表側パネルと裏側パネルを二枚重ねしてあって、表側パネルと裏側パネルの間の、板体の窓の位置に着色層を設けてあり、各窓において着色層の色を異ならせてある。【選択図】      図１
2015094104.tif 000002
【特許請求の範囲】
【請求項１】
板体と、透光性パネルを備え、板体に複数の窓を形成してあり、透光性パネルは、板体の内部に設けてあって、複数の窓に跨っており、表側パネルと裏側パネルを二枚重ねしてあって、表側パネルと裏側パネルの間の、板体の窓の位置に着色層を設けてあり、各窓において着色層の色を異ならせてあることを特徴とするパネル体。
【発明の詳細な説明】
【技術分野】
【０００１】
本発明は、玄関ドアなどとして用いられるパネル体に関する。
【背景技術】
【０００２】
従来、非特許文献１に示すように、複数の窓を設けたドアがある。この窓から光が取り込まれることによって、室内を明るくするとともに、窓自体が意匠上のアクセントとなり、さらに取り込まれた光による演出効果によって意匠性を向上させるものである。
【先行技術文献】
【非特許文献】
【０００３】
【非特許文献１】「玄関ドア総合カタログ２０１３−２０１４（ＳＴＪ０８０２Ｂ）」、三協立山株式会社、２０１３年９月、ｐ．２２４
【発明の概要】
【発明が解決しようとする課題】
【０００４】
このように、ドアに窓を設けることは、採光及び意匠性の点から効果的であるが、一方で価格の上昇にも繋がるので、安価であり、かつ、より意匠性の良好なドアが求められていた。
【０００５】
本発明は、上記事情を鑑みたものであり、複数の窓を有するものであって、より意匠性を向上させたパネル体を提供することを目的とする。
【課題を解決するための手段】
【０００６】
本発明は、板体と、透光性パネルを備え、板体に複数の窓を形成してあり、透光性パネルは、板体の内部に設けてあって、複数の窓に跨っており、表側パネルと裏側パネルを二枚重ねしてあって、表側パネルと裏側パネルの間の、板体の窓の位置に着色層を設けてあり、各窓において着色層の色を異ならせてあることを特徴とする。
【発明の効果】
【０００７】
本発明によれば、各窓の透光性パネルの色が異なり、透過光の色も異なるので、意匠性が良好である。そして、各窓において透光性パネルの着色層の色を異ならせることにより、一枚の透光性パネルで複数の色の異なる窓を形成でき、透光性パネルの枚数を少なくすることができるので、構造が単純で安価である。
【図面の簡単な説明】
【０００８】
【図１】（ａ）はパネル体の室外側正面図、（ｂ）はパネル体の室内側正面図である。
【図２】図１のＡ−Ａ線断面図である。
【図３】パネル体の内部構造を示す説明図である。
【図４】キャップの斜視図である。
【発明を実施するための形態】
【０００９】
以下、本発明の実施の形態を図面に基づいて説明する。このパネル体は、種々の建材として用いられるものであるが、ここでは玄関ドアとして用いられる場合の例を示す。図１及び図２に示すように、パネル体は、長方形の板体１からなる。板体１は、断熱パネル１１の表側面（室外側面）と裏側面（室内側面）に鋼板１２を取り付けて形成したものである。室外側から見て（図１（ａ））、右側が吊元側であって、上下方向中間の左側端部に取手１３を設けてあり、取手１３の上下に錠１４を設けてある。そして、板体１には、九つの窓４を設けてある。窓４は、何れも正方形で、大きさは大小二種類であり、各窓４の中心の上下方向位置及び左右方向位置が、相互に一致しないように配置してある。
【００１０】
各窓４には、透光性パネル２を嵌め込んである。透光性パネル２は、ガラス板からなる表側パネル２１及び裏側パネル２２を、スペーサ２３を挟んで二枚重ねにした複層ガラスである。図３に示すように、板体１の断熱パネル１１の窓４に対応する位置を、窓４よりも大きくくり抜いてあり、そこに透光性パネル２を嵌め込むことで、板体１の内部に透光性パネル２を設けてある。ここで、窓４同士が近接している箇所（図３における左上部及び上下方向中央部）においては、断熱パネル１１が二つの窓４に跨ってくり抜いてあり、一枚の透光性パネル２を二つの窓４に跨るように嵌め込んである。透光性パネル２は、断熱パネル１１より薄く、透光性パネル２の表側（室外側）及び裏側（室内側）に、断熱パネル１１と同じ素材からなる補助パネル１５を取り付けて、断熱パネル１１のくり抜き部を埋めてあり、透光性パネル２と表裏の補助パネル１５とで、断熱パネル１１と同じ厚さとなっている。そして、表裏の補助パネル１５及び鋼板１２に正方形の孔を開けて、窓４を形成してある。
【００１１】
また、透光性パネル２の表側パネル２１と裏側パネル２２の間には、着色層５を設けてある。着色層５は、着色された透光性のフィルムを、表側パネル２１の室内側面に接着して形成してある。着色層５の色は、グリーン、ピンク、グレーの三種類であり、図１及び図３において、ハッチングの種類の違いにより色の違いを表現している（クロス：グリーン、左下がり二重斜線：ピンク、右下がり三重斜線：グレー）。そして、図３に示すように、透光性パネル２が二つの窓４に跨っている箇所（左上部及び上下方向中央部）においては、一枚の表側パネル２１の上下に色の異なる二枚のフィルムを張って、上下の各窓４において着色層５の色を異ならせてある。なお、本実施形態においては、フィルムの大きさが表側パネル２１の大きさと略同じであって、透光性パネル２の略全面に着色層５を形成してあるが、窓４以外の部分は外側から見えないので、着色層５は少なくとも窓４の位置に形成してあればよい。
【００１２】
さらに、図１に示すように、各窓４には、板体１の表裏両側からキャップ３を取り付けてある。キャップ３は、窓４の大きさに合わせて大小二種類あるが、形状は略同じであり、一つの窓４の表裏のキャップ３は、同形状である。図４に示すように、キャップ３は、正方形の枠体３２を有していて、枠体３２の一方の開口端（図４における上端）に、外周側に向けて広がる鍔部３３を形成してある。また、枠体３２の内周側の二辺に、傾斜面３４を形成してある。傾斜面３４は、幅（窓４に取り付けた状態における見付寸法）が枠体３２の内寸幅の略１／３であって、キャップ３の厚さ（窓４に取り付けた状態における見込寸法）よりも大きい。そして、傾斜面３４の外周側端は鍔部３３に連続しており、外周側から内周側に向けて、他方の開口端（図４における下端）まで傾斜している。これらの枠体３２、鍔部３３及び傾斜面３４は、樹脂製で一体成形されたものである。さらに、枠体３２の内周側の、傾斜面３４が存在しない部分が開口部３１となる。開口部３１は、正方形で、一辺の長さが枠体３２の内寸幅の略２／３となる。また、傾斜面３４が枠体３２の二辺に形成してあるので、開口部３１はキャップ３の中心からずれた位置に形成される。このように形成したキャップは、その開口面積が、他方の開口端（図４における下端）においては開口部３１の大きさとなり、一方の開口端（図４における上端）においては枠体３２の内寸の大きさとなっており、開口面積が他方の開口端から一方の開口端に向けて（下側から上側に向けて）広がった形状となっている。そして、このキャップ３を取り付ける際には、窓４に枠体３２を嵌め込み、鍔部３３を窓４の周縁部に係止させる。窓４とキャップ３は正方形であるから、図１に示すように、キャップ３を９０度回転させて、四通りの向きで取り付けることができるが、一つの窓４の表裏のキャップ３は、対称な向きとなるようにしてある。そして、このようにキャップ３を取り付けることにより、キャップ３の開口面積は、パネル体の内部から外側に向けて広がることになる。
【００１３】
このように構成したパネル体によれば、各窓の透光性パネルの色が異なり、透過光の色も異なるので、意匠性が良好である。そして、一枚の透光性パネルが複数の窓に跨っている箇所では、各窓において透光性パネルの着色層の色を異ならせることにより、一枚の透光性パネルで複数の色の異なる窓を形成できる。よって、窓ごとに異なる色の透光性パネルを取り付ける場合と比べて、透光性パネルの枚数を少なくすることができるので、構造が単純で安価であり、組み立ても容易である。
【００１４】
さらに、キャップの開口面積が外側に向けて広がっており、特にキャップが中心からずれた位置に開口部を有していて、複数の傾斜面を設けてあり、この傾斜面の見付寸法がキャップの見込寸法よりも大きいので、パネル体の正面から窓を見た際に、遠近法の視覚効果によりキャップの外縁部に対して内縁部が実際よりも奥側に位置するように見える。よって、パネル体自体が薄くても奥行き感のある印象のものになり、またパネル体が実際よりも厚く見え、頑丈な印象のものになる。そして、同じくキャップの開口面積が外側に向けて広がっていることにより、室外側から効率よく光を取り込み、また室内側に拡散させて、窓の透光性パネルをより小さくしても、室内を明るくすることができる。また、キャップが中心からずれた位置に開口部を有しており、キャップを回転させて取り付けることで開口部の位置が変化する。正方形のキャップであれば開口部の位置は四通りであり、窓ごとに開口部の位置を変えて、パネル体の意匠を好みに変化させることができる。なお、キャップは一体成形されたものであって、窓に嵌め込むだけで取り付けられるので、施工性がよい。
【００１５】
本発明は、上記の実施形態に限定されない。たとえば、窓の数や配置及び着色層の色は、採光性や意匠性を考慮して自在に設定できる。その際、窓を大小設けることで、透光部の大小と着色層の色の濃淡を組み合わせて、視線の抜けや光の明暗を調整できる。また、着色層は、フィルムを貼って形成するもののほか、表側パネルと裏側パネルの間に着色された透光性のパネルを設けたものや、表側パネル又は裏側パネルの内側面を塗装したものであってもよい。さらに、着色層は窓から視認できる部分の全体を単一色で覆ったものに限られず、窓から視認できる部分の一部のみに着色層を設けたり、一つの窓に複数色の着色層を設けたりして、何らかの模様を表したものであってもよい。また、窓及びキャップの形状は、正方形に限られず、多角形や円形など、回転させることで向きを変えて取り付けることができるものであれば、どのようなものであってもよい。
【符号の説明】
【００１６】
１  板体
２  透光性パネル
３  キャップ
４  窓
５  着色層
２１  表側パネル
２２  裏側パネル
３１  開口部
【図１】
2015094104.tif 000003
【図２】
2015094104.tif 000004
【図３】
2015094104.tif 000005
【図４】
2015094104.tif 000006